(57)【要約】【課題】  シンクライアントシステムにおいて、サーバ装置から送信される画面データをクライアント装置に保存し、閲覧をできるようにすること。【解決手段】  クライアント装置に画面データを保存するためのＲＡＭを搭載し、クライアント装置とサーバ装置間のネットワークが良好なときに、サーバ装置からクライアント装置へ送られた画面データを保存する。ネットワークを切断した状態においても、クライアント装置に保存された画面データを閲覧することが可能である。ＲＡＭに保存することで、クライアント装置の電源オフ、またはオペレーションシステムのシャットダウンにより画面データが消去されるため、セキュリティも確保することが可能である。【選択図】  図１
2009122879.tif 000002
【特許請求の範囲】
【請求項１】
アプリケーションプログラムを実行するサーバ装置と、前記サーバ装置とデータをやり取りするクライアント装置とを含むシンクライアントシステムにおいて、
前記サーバ装置から受信した画面データをクライアント装置上に一時的に保存する画面データ保存手段と、
ネットワーク接続が切断された状態においてクライアント装置上に保存した画面データを閲覧する画面閲覧手段と、
クライアント装置の電源オフ、またはオペレーションシステムのシャットダウンにより保存した画面データを消去する手段と
を含むことを特徴とするシンクライアントシステム。
【請求項２】
前記画面データ保存手段は、前記クライアント装置上に搭載するソフトウェアによって実現されることを特徴とする請求項１記載のシンクライアントシステム。
【請求項３】
前記画面閲覧手段は、前記サーバ装置と前記クライアント装置の間のネットワークが切断された状況下においても、前記画面データ保存手段によって保存された画面データを閲覧を実現することを特徴とする請求項２記載のシンクライアントシステム。
【請求項４】
前記画面データ保存手段は、前記クライアント装置の電源オフ、もしくはオペレーションシステムのシャットダウンにより、データが消去されるデータ消去手段を更に含むことを特徴とする請求項３記載のシンクライアントシステム。
【発明の詳細な説明】
【技術分野】
【０００１】
本発明はシンクライアントシステムに関し、ネットワーク環境への依存を低減し通信コストの削減、もしくは低品質なネットワーク環境下における利便性向上が図れるシンクライアントシステムに関するものである。
【背景技術】
【０００２】
近年、プライバシー情報の漏洩多発により、個人情報保護が強く求められており、シンクライアントタイプの情報処理システムが注目を集めている。
【０００３】
シンクライアントタイプの情報処理システムでは、ユーザが操作するクライアント装置を用いて、会社等で管理されているサーバ装置上のデスクトップを遠隔操作し、サーバ装置に搭載されている各種アプリケーションプログラムやデータを利用する。
【０００４】
クライアント装置には、クライアント装置とサーバ装置を接続する通信プログラム、クライアント装置をサーバ装置の入出力装置として機能させるリモートデスクトッププログラム、およびこれらのプログラムを動作させるオペレーションシステムプログラムが搭載されている必要がある。
【０００５】
クライアント装置はサーバ装置への入出力機能のみを搭載し、データやプログラムを搭載しないため、盗難、紛失時の情報漏えいの可能性を排除することが可能である。
【０００６】
従来技術として、クライアント装置とサーバ装置の間に入力情報を記憶させるゲートウェイを設置することで、通信不可状態下においても動作を保障する方法が提案されている。
【０００７】
【特許文献１】特開２００４−１７１０６３号公報
【発明の開示】
【発明が解決しようとする課題】
【０００８】
シンクライアントタイプの情報処理システムは、外出先においてもクライアント装置とサーバ装置の間のネットワークが必要である。クライアント装置とサーバ装置の間のネットワーク品質が悪化すると、クライアント装置での入出力操作に問題が生じる。
【０００９】
従来のシンクライアントシステムでは、ネットワーク品質の悪化によりクライアント装置とサーバ装置の間の通信遅延が発生、もしくは切断となった場合、サーバ装置への入出力操作に対する応答遅延、操作不可となり、クライアント装置は一切利用ができなくなる。
【００１０】
特許文献１においても、入出力操作を一時的にゲートウェイに保存することはできるが、クライアント端末とゲートウェイ、サーバ装置の間のネットワーク接続が確立できないと全ての操作が不可となる問題がある。
【００１１】
本発明は上述した従来技術の欠点に対してなされたものであり、その目的はネットワークが切断された場合でもサーバ装置の情報を閲覧できる方法を提供することである。
【課題を解決するための手段】
【００１２】
本発明の請求項１によるシンクライアントシステムは、クライアント装置にＲＡＭを搭載しており、サーバ装置からクライアント装置に送信される画面データをＲＡＭに一時的に保存し、ネットワークが切断された場合においても、クライアント装置にてデータ閲覧機能を備えている。
【００１３】
クライアント装置に保存される情報はサーバ装置の画面データのみで、アプリケーションのファイル等のデータは一切保存しない。
【発明の効果】
【００１４】
本発明によれば、通信状況が悪化した場合においても、サーバ装置上の情報をクライアント装置のＲＡＭに保存し、クライアント装置単体でデータ閲覧が可能となる手段を提供することが可能である。
【発明を実施するための最良の形態】
【００１５】
図５はクライアント装置の構成例を示す図であり、該図を用いて一般的なクライアント装置について説明する。クライアント装置は、ＣＰＵ５０１と、ＣＰＵ５０１のワークエリアであるＲＡＭ５０５と無線ネットワークを通じてアクセスポイント５に接続するためのネットワーク機能５０６と、ＢＩＯＳ５０３やオペレーションシステム５０４を搭載するＲＯＭ５０２と、を有する。
【００１６】
電源投入後、ＣＰＵ５０１はＲＯＭ５０２へアクセスし、ＢＩＯＳ５０３を実行し、クライアント装置の各システムを起動する。
【００１７】
オペレーションシステム５０４は、ネットワーク機能５０６を制御し、アクセスポイント５へのネットワーク接続し、サーバ装置１との通信を確立する。
【実施例１】
【００１８】
次に、図面を参照して本発明の実施の形態について説明する。なお、以下の説明において参照する各図は、他の図と同一符号を付与している。
【００１９】
図１は本発明によるシンクライアントシステムの実施の一形態を示す概略図である。図１に示すように本実施形態のシンクライアントシステムは、サーバ装置１と、リモートアクセス認証サーバ２と、アクセスポイント５と、クライアント装置６と、を有する。
【００２０】
サーバ装置１は、会社やデータセンタなどの管理された内部ネットワークであるＬＡＮ３に接続されている。ＬＡＮ３はリモートアクセス認証サーバ２に接続されている。そのリモートアクセス認証サーバ２はＷＡＮ４に接続されている。
【００２１】
クライアント装置６は外出先などの外部のネットワークのアクセスポイント５に、あるいは、自宅などに構築された外部ネットワークを経由してＷＡＮ４に接続される。
【００２２】
サーバ装置１は、クライアント装置６との間にＶＰＮを確立し、クライアント装置６から送られてきた入力信号を受信し、処理を実行するとともに、サーバ装置１の処理結果を閉める画面データをクライアント装置６へ送信する。
【００２３】
リモートアクセス認証サーバ２は、外部ネットワークからアクセスするクライアント装置６を認証し、認証が成功したクライアント装置６をサーバ装置１へ接続する。
【００２４】
図４はクライアント装置とサーバ装置の間のネットワーク状態が悪化した場合でも、クライアント装置でサーバ装置の画面データを閲覧可能とするためのクライアント装置の構成図である。ネットワーク状態が良好な間に、サーバ装置上の画面データを画面データ保存機能４０５によりクライアント装置に搭載されるＲＡＭ４０７内の画面データ保存領域４０８に保存する。また、ネットワーク状態が悪化した場合には、データ閲覧機能４０６により画面データ保存領域４０８のデータを閲覧することが可能である。
【００２５】
図３は本発明によるシンクライアントシステムの実施の一形態を示すブロック図である。図３に示すように、本実施形態によるシンクライアントシステムは、クライアント装置６に画面データ保存機能３０２とデータ閲覧機能３０１を備えた構成である。この画面データ保存機能３０２とデータ閲覧機能３０１は、サーバ装置１からネットワーク機能３０３によって送信される画面データを保存し、ネットワーク接続が切断された状態でも保存された画面データを閲覧できる機能である。
【００２６】
図２はクライアント装置６の動作を説明するフロー図である。通信が確立されている状態でサーバ装置１から送信される画面データをクライアント装置に保存する（Ｓ２０１）。
【００２７】
ネットワーク接続を保持できない場合（Ｓ２０２でＮ）、サーバ装置との接続が切断され、一定時間以内に閲覧モードを選択することで（Ｓ２０４でＹ）、ＲＡＭ３０２に保存された画面データを閲覧することが可能である（Ｓ２０５）。閲覧モードを選択しない場合（Ｓ２０４でＮ）、ＲＡＭ３０２に保存された画面データを消去し（Ｓ２０７）、クライアント装置の電源オフにより終了となる（Ｓ２０８）。
【００２８】
ネットワーク接続を保持できる場合でも（Ｓ２０２でＹ）、通信コストの削減のため、閲覧モードを選択することで（Ｓ２０３でＹ）、ＲＡＭ３０２に保存された画面データを閲覧することが可能である（Ｓ２０５）。
【００２９】
ネットワーク接続を保持できる場合で（Ｓ２０２でＹ）、閲覧モードを選択しなければ（Ｓ２０３でＮ）、そのままクライアント装置とサーバ装置のネットワークを接続したままで業務継続となる。
【図面の簡単な説明】
【００３０】
【図１】本発明によるシンクライアントシステムの実施の一形態を示すブロック図である。
【図２】本発明によるシンクライアントシステムの動作を説明するフローチャートである。
【図３】本発明によるシンクライアントシステムの構成を示すブロック図である。
【図４】本発明によるシンクライアントシステムにおけるクライアント装置の詳細な構成を示すブロック図である。
【図５】従来のシンクライアントシステムにおけるクライアント装置の詳細な構成を示すブロック図である。
【符号の説明】
【００３１】
１・・・サーバ装置
２・・・リモートアクセス認証サーバ
３・・・内部ネットワーク（ＬＡＮ）
４・・・ＷＡＮ
５・・・アクセスポイント
６・・・クライアント装置
【図１】
2009122879.tif 000003
【図２】
2009122879.tif 000004
【図３】
2009122879.tif 000005
【図４】
2009122879.tif 000006
【図５】
2009122879.tif 000007